(57)【特許請求の範囲】
【請求項１】
ディスクカートリッジが装着される記録再生部と、
先端側に磁気ヘッドが取付けられ、基端側を支軸により支持されて、該磁気ヘッドを上記記録再生部に装着されたディスクカートリッジの記録ディスクに対する径方向及び接離方向に移動操作可能に支持する磁気ヘッド支持部材と、
上記磁気ヘッド支持部材を支持する支軸により基端側を支持され、この支軸の軸回りの相対的な回動が可能となされたディスク種別検出アームと、
上記支軸の一端側に配設された位置決め部材と、
上記支軸の他端側近傍に配設された弾性部材とを備え、
上記磁気ヘッド支持部材は、上記弾性部材の弾性力により上記位置決め部材に押接されることによって、上記支軸の軸方向の位置を位置決めされ、更に、上記磁気ヘッドは上記弾性部材の弾性力により上記記録再生部より離間する方向に付勢され、
上記ディスク種別検出アームは、上記記録再生部に記録再生兼用ディスクカートリッジが装着されたとき、このディスクカートリッジに設けられたディスク種別標示部によって先端側を押圧され、上記支軸の軸回りに回動操作されて、上記磁気ヘッド支持部材を、上記磁気ヘッドが上記記録再生部に対して近接する方向に回動操作し、上記磁気ヘッドが上記記録再生兼用ディスクカートリッジ内の記録ディスクに摺接されること
を特徴とする記録及び再生装置。
【発明の詳細な説明】
【０００１】
【発明の属する技術分野】
本発明は、記録ディスクをカートリッジに収納して構成されたディスクカートリッジを用いて情報信号の記録及び再生を行う記録及び再生装置に関する。
【０００２】
【従来の技術】
従来、いわゆる光磁気ディスクや光ディスク等の記録ディスクをカートリッジに収納して構成されたディスクカートリッジ等を用いて、情報信号の記録及び再生を行う記録及び再生装置が提案されている。
【０００３】
上記光ディスクは、透明な合成樹脂材料によりなるディスク基板と、このディスク基板の一方の主面部に被着形成された金属材料よりなる反射層とを有して構成されている。この光ディスクのディスク基板の一方の主面部には、射出成型等の手段により、情報信号に応じた凹凸パターンが形成されている。この凹凸パターンは、上記情報信号を記録している。この凹凸パターンによって記録されている情報信号は、上記ディスク基板の他方の主面部側より該凹凸パターンにレーザ光束を照射し、このレーザ光束の反射光量を検出することによって、読み取ることができる。
【０００４】
そして、上記記録ディスクである光磁気ディスクは、透明な合成樹脂材料によりなるディスク基板と、このディスク基板の一方側の主面部に被着形成された磁性材料によりなる信号記録層とを有して構成されている。この光磁気ディスクに対する情報信号の書込みは、上記信号記録層の所定箇所に対して、集光された光束の照射及び外部磁界の印加を行うことによりなされる。上記光束の照射は、上記ディスク基板の他方側の主面部側より、該ディスク基板を透して行われる。そして、上記外部磁界の印加は、上記ディスク基板の一方側の主面部より行われる。上記信号記録層の上記光束を照射された部分は、いわゆるキュリー温度以上に加熱されることにより、保磁力を喪失する。そして、この加熱された部分の信号記録層は、冷却される過程で、上記外部磁界の方向に倣った方向に磁化される。
【０００５】
すなわち、上記光磁気ディスクにおいては、この光磁気ディスクを回転操作しながら、上記光束の光強度または上記外部磁界の磁界強度を情報信号に応じて変調することにより、上記信号記録層の磁化方向によって該情報信号を記録することができる。
【０００６】
このような光磁気ディスクを用いて情報信号の記録を行うディスク装置は、該光磁気ディスクを保持するとともに回転操作する回転操作機構と、該光磁気ディスクに外部磁界を印加する磁気ヘッドと、該光磁気ディスクに光束を集光して照射する光学ピックアップ装置とを有して構成されている。これら磁気ヘッド及び上記光学ピックアップ装置は、上記光磁気ディスクを介して互いに相対向する位置となされて配設されている。すなわち、これら磁気ヘッド及び光学ピックアップ装置は、互いにアーム部材を介して連結されている。また、これら磁気ヘッド及び光学ピックアップ装置は、上記アーム部材とともに、上記光磁気ディスクの内外周に亘って、該光磁気ディスクの径方向に移動操作可能に配設されている。
【０００７】
上記磁気ヘッドは、磁気コアとこの磁気コアに巻装された磁界発生用コイルとを有して構成されている。この磁気ヘッドは、上記信号記録層に対し、この信号記録層上に形成されたいわゆる保護層や滑性層等の薄い合成樹脂や油脂等からなる層を介して、略々摺接される程度に近接して配設される。上記光学ピックアップ装置は、レーザダイオード等の光源及びこの光源の発する光束を導き集光させる光学デバイス等を有して構成される。この光学ピックアップ装置は、上記光束の集光点が上記信号記録層と上記ディスク基板との境界面上に位置するように、該信号記録層に対し、該光束を集光させる対物レンズの焦点距離に略々等しい距離を隔てて配設される。
【０００８】
そして、このように記録媒体として光磁気ディスクを用いる記録及び再生装置においては、該光磁気ディスクに対する情報信号の書込みのみならず、該光磁気ディスクに記録された情報信号の読出しをも行えるように構成されたものがある。上記光磁気ディスクよりの情報信号の読出しは、上記信号記録層に直線偏光状態の集光させた光束を照射し、該光束の該信号記録層による反射光束の偏光方向を検出することにより行う。すなわち、上記光束は、上記信号記録層の表面部にて反射されるときに、該信号記録層の磁化方向に応じて、いわゆるカー効果によって偏光方向が変化させられる。したがって、上記反射光束の偏光方向を検出することによって、上記信号記録層の磁化方向の変化を読取ることができる。
【０００９】
上記反射光束の検出は、上記光学ピックアップ装置内に配設された検光子及び光検出器により行われる。この検光子は、いわゆるウォラストンプリズムや１／２波長板等であって、偏光方向の違いを光強度の変化に変換する。上記光検出器は、フォトダイオードやフォトトランジスタ等であって、受光した光束の光強度を電気信号に変換する。
【００１０】
【発明が解決しようとする課題】
上述のように、上記記録及び再生装置において上記光磁気ディスクに対して情報信号の書込みを行うときには、上記磁気ヘッド及び上記光学ピックアップ装置の双方が稼動される。しかし、この記録及び再生装置において、上記光磁気ディスクや光ディスクより情報信号を読出すときには、上記光学ピックアップ装置のみが稼動され、上記磁気ヘッドは稼動されない。
【００１１】
上記磁気ヘッドの上記光磁気ディスクに対する摺接は、該磁気ヘッド及び該光磁気ディスクの磨耗を招来する。上記記録及び再生装置においては、上記磁気ヘッド及び上記光磁気ディスクの摺接の頻度が多いと、これら磁気ヘッド及び光磁気ディスクの耐用期間が短縮される。
【００１２】
そのため、従来、上記光磁気ディスクが装着されたときのみに上記磁気ヘッドが該光磁気ディスクに摺接されるようにし、上記光ディスクが装着されたときにはこの磁気ヘッドを該光ディスクより離間させるようにした記録及び再生装置が提案されている。
【００１３】
このような記録及び再生装置においては、上記磁気ヘッドは、上記光磁気ディスク、または、上記光ディスクに対して接離可能に支持されている。そして、この記録及び再生装置においては、上記磁気ヘッドを支持するアーム部材は、上記光学ピックアップ装置に対して接離する方向に移動可能となされているとともに、該磁気ヘッドを該光磁気ディスクに対して接近させる方向に弾性付勢されている。このアーム部材は、上記光ディスクが装着されたときには、保持部材により、上記磁気ヘッドを該光ディスクより離間させる位置に保持され、上記光磁気ディスクが装着されたときには、該保持部材による保持を解除されて該磁気ヘッドを該光磁気ディスクに近接させる位置に移動される。
【００１４】
上記保持部材は、この記録及び再生装置にいずれの記録ディスクが装着されたかに応じて、移動操作される。この保持部材は、上記光学ピックアップ装置及び上記磁気ヘッドが上記記録ディスクの径方向についていずれの位置に移動されても、上記情報信号の読出し時には上記アーム部材を保持している必要があるため、該記録ディスクの内外周に亘る上記磁気ヘッドの移動可能範囲に亘って設けられている。
【００１５】
この記録及び再生装置においては、上記磁気ヘッド及び上記光磁気ディスクの摺接の頻度が少なくなされるので、これら磁気ヘッド及び記録ディスクの耐用期間を長くすることができる。
【００１６】
しかしながら、このように、情報信号の読出し時に上記保持部材により上記アーム部材を保持して上記磁気ヘッドを上記記録ディスクより離間させておくようにした記録及び再生装置においては、該磁気ヘッド及び上記光学ピックアップ装置が該記録ディスクの径方向に移動操作されるとき、該保持部材と該アーム部材とが摺接されることとなる。そのため、この記録及び再生装置においては、上記光学ピックアップ装置及び上記磁気ヘッドの上記記録ディスクの径方向への移動操作が高速、かつ、円滑に行えない虞れがある。
【００１７】
そこで、本発明は、上述の実情に鑑みて提案されるものであって、磁気ヘッドの記録ディスクへの摺接が、情報信号の記録が可能な記録ディスクが装着されたときのみに行われるようになされて、該磁気ヘッド及び該記録ディスクの磨耗が最小限度に抑えられるとともに、構成を複雑化することなく、上記磁気ヘッドの上記記録ディスクの径方向への移動操作が、高速、かつ、円滑に行えるようになされた記録及び再生装置において、磁気ヘッドの正確な位置決めが容易に行えるようにすることを目的とする。
【００１８】
【課題を解決するための手段】
上述の課題を解決し上記目的を達成するため、本発明に係る記録及び再生装置は、ディスクカートリッジが装着される記録再生部と、先端側に磁気ヘッドが取付けられ、基端側を支軸により支持されて、該磁気ヘッドを上記記録再生部に装着されたディスクカートリッジの記録ディスクに対する径方向及び接離方向に移動操作可能に支持する磁気ヘッド支持部材と、上記磁気ヘッド支持部材を支持する支軸により基端側を支持され、この支軸の軸回りの相対的な回動が可能となされたディスク種別検出アームと、上記支軸の一端側に配設された位置決め部材と、上記支軸の他端側近傍に配設された弾性部材とを備え、上記磁気ヘッド支持部材は、上記弾性部材の弾性力により上記位置決め部材に押接されることによって、上記支軸の軸方向の位置を位置決めされ、更に、上記磁気ヘッドは上記弾性部材の弾性力により上記記録再生部より離間する方向に付勢され、上記ディスク種別検出アームは、上記記録再生部に記録再生兼用ディスクカートリッジが装着されたとき、このディスクカートリッジに設けられたディスク種別標示部によって先端側を押圧され、上記支軸の軸回りに回動操作されて、上記磁気ヘッド支持部材を、上記磁気ヘッドが上記記録再生部に対して近接する方向に回動操作し、上記磁気ヘッドが上記記録再生兼用ディスクカートリッジ内の記録ディスクに摺接されることを特徴とするものである。
【００１９】
このように、上記記録再生部と、上記磁気ヘッド支持部材と、上記支軸の一端側に配設された位置決め部材と、上記支軸の他端側近傍に配設された弾性部材とを備えて構成された本発明に係る記録及び再生装置においては、上記磁気ヘッド支持部材は、上記弾性部材の弾性力により上記位置決め部材に押接されることによって、上記支軸の軸方向の位置を位置決めされるので、磁気ヘッドの正確な位置決めが容易に行える。
また、本発明は弾性部材の弾性力により磁気ヘッドが上記記録再生部より離間する方向に付勢され、上記ディスク種別検出アームは、記録再生部に記録再生兼用ディスクカートリッジが装着されたとき、このディスクカートリッジに設けられたディスク種別標示部によって先端側を押圧され、上記支軸の軸回りに回動操作されて、磁気ヘッド支持部材を、磁気ヘッドが上記記録再生部に対して近接する方向に回動操作し、磁気ヘッドが上記記録再生兼用ディスクカートリッジ内の記録ディスクに摺接されるようにしたので、磁気ヘッド及びディスクの磨耗が最小限度に抑えることができる。
【００２０】
【発明の実施の形態】
以下、本発明の具体的な実施の形態を図面を参照しながら説明する。
【００２１】
本発明に係る記録及び再生装置においては、記録媒体となるディスクカートリッジとして、図１１及び図１２に示す記録再生兼用ディスクカートリッジ２０１と、図１３及び図１４に示す再生専用ディスクカートリッジ２１１とのいずれかが選択的に用いられる。
【００２２】
上記記録再生兼用ディスクカートリッジ２０１は、記録再生兼用ディスク２０５を記録再生兼用カートリッジ２０２に回転可能に収納して構成されている。上記記録再生兼用ディスク２０５は、いわゆる光磁気ディスクであって、透明な合成樹脂等よりなる円盤状のディスク基板と、このディスク基板の一方側の主面部に被着形成された磁性材料よりなる信号記録層とを有して構成されている。このディスク基板は、例えば、直径が６４ｍｍ程度の大きさを有して形成されている。
【００２３】
上記ディスク基板の中央部には、被チャッキング部が設けられている。この被チャッキング部は、上記ディスク基板に穿設された円形の透孔２１７と、この透孔２１７を閉蓋する金属板２１６とから構成されている。この被チャッキング部の透孔２１７は、上記信号記録層状に略々同心円状をなして螺旋状に形成される記録トラックの曲率中心に中心を一致させている。
【００２４】
なお、上記ディスク基板の他方側の主面部の上記透孔２１７の周囲の円環状部分は、突出形成され、位置決め基準部２２３となされている。また、上記金属板２１６は、上記ディスク基板の一方側の主面部の上記透孔２１７の周囲に設けられた凹部２１８内に嵌入されて配設され、該ディスク基板の一方側の主面部上に突出しないようになされている。
【００２５】
上記記録再生兼用カートリッジ２０２は、上記記録再生兼用ディスク２０５を収納し得る大きさの薄い筺体状に構成されている。そして、この記録再生兼用カートリッジ２０２の上面側の主面部には、上記記録再生兼用ディスク２０５の一方側の主面部を内外周に亘って外方側に臨ませる磁気ヘッド用開口部２０３が開設されている。また、この記録再生兼用カートリッジ２０２の下面側の主面部には、上記記録再生兼用ディスク２０５の他方側の主面部を内外周に亘って外方側に臨ませる光学ピックアップ装置用開口部２１５が開設されている。これら各開口部２０３，２１５は、互いに相対向する位置に略々同一の大きさ及び形状を有して形成されている。すなわち、これら各開口部２０３，２１５は、それぞれ、上記記録再生兼用カートリッジ２０２の各主面部の略々中央位置より、この記録再生兼用ディスクカートリッジ２０１のディスクカートリッジローディング機構への装着方向に対する側方側の辺部近傍に亘って、略々矩形状に形成されている。また、上記記録再生兼用カートリッジ２０２の下面側の主面部の中央部には、上記被チャッキング部及び上記位置決め基準部２２３を外方側に臨ませるためのチャッキング用開口部２１９が設けられている。
【００２６】
そして、上記記録再生兼用カートリッジ２０２には、上記各開口部２０３，２１５を開閉するためのシャッタ部材２０４がスライド可能に取付けられている。このシャッタ部材２０４は、合成樹脂や金属等よりなる矩形状の薄い板状部材がコ字状に屈曲形成されて構成され、両側側部分によって、上記各開口部２０３，２１５を閉蓋可能に構成されている。このシャッタ部材２０４は、中央部分を上記記録再生兼用カートリッジ２０２の一側縁部によって、該一側縁部に沿う前後方向にスライド可能に支持されている。このシャッタ部材２０４は、上記記録再生兼用カートリッジ２０２に対してスライドされることにより、上記各開口部２０３，２１５を開閉する。
【００２７】
また、上記シャッタ部材２０４の上記記録再生兼用カートリッジ２０２の一側縁部に支持された中央部分には、該シャッタ部材２０４を閉蓋操作するためのシャッタ閉蓋操作孔２０７が設けられている。
【００２８】
また、上記記録再生兼用カートリッジ２０２の下面側の主面部には、前後一対の位置決め孔２２０，２２１が穿設されている。これら位置決め孔２２０，２２１は、上記記録及び再生装置において位置決めピンが嵌入されることにより、上記記録再生兼用カートリッジ２０２を、該記録及び再生装置の記録再生部に対して位置決めさせるようになされている。そして、この記録再生兼用カートリッジ２０２の底面部の前端側位置には、ディスク種別標示部である記録再生兼用標示部２０９が設けられている。この記録再生兼用標示部２０９は、例えば、０．７ｍｍ程度の、ごく浅い深さを有して上記記録再生兼用カートリッジ２０２の底面部に形成された凹部である。
【００２９】
さらに、上記記録再生兼用カートリッジ２０２の一側縁部には、前端側より上記シャッタ部材２０４の中央部分に亘るシャッタ開放溝２０６が設けられている。ディスクカートリッジローディング機構においては、このシャッタ開放溝２０６にシャッタ開放片が前方側より挿入されることにより、上記シャッタ部材２０４は、上記記録再生兼用カートリッジ２０２の後方側にスライドされて、上記各開口部２０３，２１５を開蓋する。なお、上記シャッタ部材２０４の上記記録再生兼用カートリッジ２０２の一側縁部に支持された中央部分には、シャッタ支持突片部２０８が、上記シャッタ解放溝２０６に沿って前方側に向けて突設されている。
【００３０】
また、上記記録再生兼用カートリッジ２０２の上記一側縁部に対向する他方側の側縁部には、前端側より誤挿入防止溝２２４が設けられている。この誤挿入防止溝２２４には、上記ディスクカートリッジローディング機構において、誤挿入防止片が前方側より挿入される。
【００３１】
一方、上記再生専用ディスクカートリッジ２１１は、再生専用ディスク２１４を再生専用カートリッジ２１２に回転可能に収納して構成されている。上記再生専用ディスク２１４は、透明な合成樹脂等よりなる円盤状のディスク基板と、このディスク基板の一方側の主面部に被着形成された金属材料よりなる反射層とを有して構成されている。この再生専用ディスク２１４は、上記記録再生兼用ディスク２０５と同様の大きさを有して構成されている。この再生専用ディスク２１４のディスク基板の一方側の主面部には、射出成形等の手段により微細な凹凸が形成されることによって、情報信号が記録されている。このディスク基板の中央部には、被チャッキング部が設けられている。この被チャッキング部は、上記記録再生兼用ディスク２０５の被チャッキング部と同様に、上記ディスク基板に穿設された円形の透孔２１７と、この透孔２１７を閉蓋する金属板２１６とから構成されている。
【００３２】
上記再生専用カートリッジ２１２は、上記再生専用ディスク２１４を収納し得る大きさの薄い筺体状に構成されている。そして、この再生専用カートリッジ２１２の下面側の主面部には、上記再生専用ディスク２１４の他方側の主面部を内外周に亘って外方側に臨ませる光学ピックアップ装置用開口部２１５が開設されている。この光学ピックアップ装置用開口部２１５は、上記再生専用カートリッジ２１２の各主面部の略々中央位置より、この再生専用ディスクカートリッジ２１１の上記ディスクカートリッジローディング機構への装着方向に対する側方側の辺部近傍に亘って、略々矩形状に形成されている。また、上記再生専用カートリッジ２１２の下面側の主面部の中央部には、上記被チャッキング部及び上記位置決め基準部２２３を外方側に臨ませるためのチャッキング用開口部２１９が設けられている。
【００３３】
そして、上記再生専用カートリッジ２１２には、上記光学ピックアップ装置用開口部２１５を開閉するためのシャッタ部材２１３がスライド可能に取付けられている。このシャッタ部材２１３は、合成樹脂や金属等よりなる矩形状の薄い板状部材の一端側を屈曲形成して構成され、上記光学ピックアップ装置用開口部２１５を閉蓋可能に構成されている。このシャッタ部材２１３は、屈曲された一端側部分を上記再生専用カートリッジ２１２の一側縁部によって、該一側縁部に沿う前後方向にスライド可能に支持されている。このシャッタ部材２１３は、上記再生専用カートリッジ２１２に対してスライドされることにより、上記光学ピックアップ装置用開口部２１５を開閉する。
【００３４】
このシャッタ部材２１３には、上記記録再生兼用ディスクカートリッジ２０１のシャッタ部材２０４と同様に、上記シャッタ閉蓋操作孔２０７及び上記シャッタ支持突片部２０８が設けられている。
【００３５】
また、上記再生専用カートリッジ２１２には、上記記録再生兼用カートリッジ２０２と同様に、前後一対の位置決め孔２２０，２２１、シャッタ開放溝２０６及び誤挿入防止溝２２４が設けられている。
【００３６】
そして、この再生専用カートリッジ２１２の底面部の前端側位置には、ディスク種別標示部である再生専用標示部２１０が設けられている。この再生専用標示部２１０は、上記記録再生兼用標示部２０９よりも深くなされて、例えば、２．５ｍｍ程度の深さを有して上記再生専用カートリッジ２１２の底面部に形成された凹部である。
【００３７】
そして、本発明に係る記録及び再生装置は、図１に示すように、シャーシ１を有して構成されるディスクカートリッジローディング機構を備えている。このシャーシ１は、金属板材料等により、シャーシ底板部２と、このシャーシ底板部２の両側側にこのシャーシ底板部２に対して略々垂直となされて取付けられた左側側板部３及び右側側板部４とを有して形成されている。
【００３８】
上記シャーシ１のシャーシ底板部２には、上記記録再生兼用ディスク２０５に対する情報信号の書込み及び読出し、または、上記再生専用ディスク２１４よりの情報信号の読出しを行う記録再生部４１が固定されて取付けられている。この記録再生部４１は、図２に示すように、上記シャーシ底板部２に取付けられる基台部５７を有して構成されている。この基台部５７は、上記シャーシ底板部２に設けられた切り欠き部５を介して、上面部の略々全面を該シャーシ底板部２の上方側に臨ませている。この基台部５７には、略々中央部に、上記各ディスク２０５，２１４を回転操作するためのスピンドルモータが取付けられている。このスピンドルモータは、駆動軸６７を上記基台部５７の上面側に突出させている。この駆動軸６７の先端側には、上記各ディスク２０５，２１４が載置されるディスクテーブル４３が取付けられている。このディスクテーブル４３は、略々円盤状に形成され、中心部に設けられた支持孔に上記駆動軸６７を嵌入させて、該駆動軸６７に支持されている。このディスクテーブル４３の上面側は、中央部に略々円錐台状に形成されたセンタリング部６６が設けられるとともに、このセンタリング部６６の周囲側部分がディスク載置部６５となされている。このセンタリング部６６は、上記各ディスク２０５，２１４の被チャッキング部の透孔２１７に嵌入可能な外径を有して形成されている。このセンタリング部６６は、上記各ディスク２０５，２１４の上記位置決め基準部２２３が上記ディスク載置部６５上に載置されたとき、外周面部を上記透孔２１７の内縁部に当接させて、該各ディスク２０５，２１４のセンタリングを行う。
【００３９】
上記ディスクテーブル４３には、上記各ディスク２０５，２１４の被チャッキング部の金属板２１６を吸引するためのマグネットが取付けられている。このマグネットにより、上記ディスクテーブル４３は、上記各ディスク２０５，２１４を位置決めして保持する。
【００４０】
そして、上記基台部５７上には、前後一対の位置決めピン５９，６０が植立されている。これら位置決めピン５９，６０は、先端側が縮径されて略々紡錘形状に形成されている。これら位置決めピン５９，６０は、上記基台部５７上に装着される上記各ディスクカートリッジ２０１，２１１の位置決め孔２２０，２２１に対応して嵌入し、上記基台部５７に対する上記各カートリッジ２０２，２１２の位置決めを行う。
【００４１】
また、上記基台部５７上には、前後一対の位置決め突起６１，６２が植立されている。これら位置決め突起６１，６２は、上記基台部５７上に装着される上記各ディスクカートリッジ２０１，２１１の底面部に当接して、該基台部５７に対する上記各カートリッジ２０２，２１２の高さ位置の位置決めを行う。
【００４２】
また、上記記録再生部４１の基台部５７には、光学ピックアップ装置４２が、図１及び図２中矢印Ｃで示すように、上記ディスクテーブル４３に接離する方向に移動操作可能に取付けられている。
【００４３】
この光学ピックアップ装置４２は、光学ブロック部を有し、この光学ブロック部内に、レーザダイオード等の光源、この光源より発する光束を導く所定の光学デバイス及び上記各ディスク２０５，２１４により反射された光束を受光する光検出器等を内蔵するとともに、該光学ブロック部に、対物レンズ駆動装置が取付けられて、構成されている。この光学ピックアップ装置においては、上記光源の発する光束は、上記光学ブロック部より射出されて、上記対物レンズ駆動装置に支持された対物レンズ６８に入射にされる。この対物レンズ６８は、入射された光束を集光させる。上記対物レンズ駆動装置は、上記対物レンズ６８を、この対物レンズの光軸方向及び該光軸に直交する方向の２軸方向に移動操作する。
【００４４】
上記光学ピックアップ装置４２は、互いに平行となされて上記基台部５７に取付けられた一対のガイドシャフト６９，７０に支持されて、これらガイドシャフト６９，７０の軸方向に移動操作可能となされいる。すなわち、上記各ガイドシャフト６９，７０は、上記光学ブロック部に形成された軸受け孔に挿通されている。
【００４５】
上記光学ピックアップ装置４２は、上記対物レンズ駆動装置を上記基台部５７の上方側に臨ませている。また、この光学ピックアップ装置４２は、上記対物レンズ６８の光軸を上記基台部５７に対し垂直、すなわち、上記シャーシ底板部２に対して垂直となしている。
【００４６】
上記光学ピックアップ装置４２には、連結アーム７３を介して、磁気ヘッド４５が取付けられている。上記連結アーム７３は、図４及び図８に示すように、上記光学ピックアップ装置４２の光学ブロック部に基端側を取付けられて上記基台部５７に略々平行に延在され、先端側には、磁気ヘッド支持部材となる磁気ヘッド支持アーム４４を支持するための一対の立ち上げ屈曲片部８０，８１を有している。これら立ち上げ屈曲片部８０，８１は、上記連結アーム７３の両側側より上方側に屈曲されて形成され、互いに略々平行となされて相対向している。上記磁気ヘッド支持アーム４４は、基端側を、上記各立ち上げ屈曲片部８０，８１間に差し渡されて上記連結アーム７３に取付けられた支軸７１に回動可能に支持され、上記基台部５７の後方側より前方側に向けて延在されている。この磁気ヘッド支持アーム４４は、上記支軸７１回りに回動されることにより、前端側、すなわち、遊端側を上記基台部５７に対し接離させる方向の変位が可能となされている。
【００４７】
上記磁気ヘッド支持アーム４４の先端側の上記基台部５７に対向する側には、板バネ部材５８を介して、磁気ヘッド４５が取付けられている。この磁気ヘッド４５は、上記対物レンズ６８に相対向する位置に保持されている。すなわち、この磁気ヘッド４５は、上記対物レンズ６８の光軸上に位置され、該対物レンズ６８に接離する方向の移動が可能となされている。
【００４８】
上記磁気ヘッド支持アーム４４の基端側には、上記一対の立ち上げ屈曲片部８０，８１の内側側となるように、一対の突片部８７，８８が設けられている。そして、これら突片部８７，８８間には、回動規制部材となる回動規制シャフト７２が差し渡されて取付けられている。この回動規制シャフト７２は、上記支軸７１に対して平行となされている。この回動規制シャフト７２は、一端側部分が、一方の突片部８８を挿通して、この突片部８８の外側側に、一方の立ち上げ屈曲片部８１に向けて突出されている。この一方の立ち上げ屈曲片部８１の上端部には、この一方の立ち上げ屈曲片部８１の一部が屈曲されて形成された位置規制片８９が、内方側、すなわち、上記磁気ヘッド支持アーム４４側に向けて突設されている。上記回動規制シャフト７２の一端側部分は、上記磁気ヘッド支持アーム４４が上記磁気ヘッド４５を上記基台部５７より離間させる方向に回動されたとき、上記位置規制片８９に当接される。すなわち、上記磁気ヘッド支持アーム４４は、上記回動規制シャフト７２の一端側部分と上記位置規制片８９とが当接する位置よりは、上記磁気ヘッド４５を上記基台部５７より離間させる方向には回動されない。
【００４９】
上記支軸７１の一端側部分には、弾性部材となる捩じりコイルバネ７４が外巻装されて取付けられている。この捩じりコイルバネ７４は、上記一方の立ち上げ屈曲片部８１と上記磁気ヘッド支持アーム４４との間に介在配設されている。この捩じりコイルバネ７４は、上記磁気ヘッド支持アーム４４を、上記他方の立ち上げ屈曲片部８０に対して押接させている。すなわち、この他方の立ち上げ屈曲片部８０は、上記磁気ヘッド支持アーム４４の上記支軸７１の軸方向の位置の基準となる位置決め部材となっている。また、上記捩じりコイルバネ７４は、一方のアーム部を上記基台部５７に係止させ、他方のアーム部を上記回動規制シャフト７２の一端側部分に係止させることによって、上記磁気ヘッド支持アーム４４を、上記磁気ヘッド４５が上記対物レンズ６８より離間される方向に回動付勢している。したがって、上記磁気ヘッド支持アーム４４は、上記各ディスクカートリッジ２０１，２１１が装着されない初期状態においては、上記回動規制シャフト７２の一端側部分を上記位置規制片８９に当接させ、図４及び図５に示すように、上記磁気ヘッド４５を上記対物レンズ６８より離間させた初期位置となされている。
【００５０】
そして、上記回動規制シャフト７２には、ディスク種別検出アーム７８の中途部が取付けられている。このディスク種別検出アーム７８は、中途部に設けられた挿通孔８２に上記回動規制シャフト７２を挿通させることによって、該回動規制シャフト７２に対して、軸回りの回動及び軸方向への摺動が可能に取付けられている。また、このディスク種別検出アームの後端側には、上記支軸７１に係合するための係合切り欠き部８３が設けられている。この係合切り欠き部８３は、上記支軸７１を挿通させてこの支軸７１に係合している。すなわち、上記ディスク種別検出アーム７８は、上記支軸７１に対して、軸回りの回動及び軸方向への摺動が可能となされている。したがって、上記ディスク種別検出アーム７８は、上記支軸７１及び上記回動規制シャフト７２に支持されることにより、上記磁気ヘッド支持アーム４４に対する上記支軸７１の軸回りの回動が規制されている。
【００５１】
そして、上記ディスク種別検出アーム７８の前端側には、上方側にむけて当接突起７９が突設されるとともに、前方側に向けて被係止突起８４が突設されている。
【００５２】
また、上記基台部５７上には、移動規制部材となる一対の移動規制片８５，８６が突設されている。これら移動規制片８５，８６は、上記ディスク種別検出アーム７８の前端側部分を両側側より挟持するようにして形成されている。これら移動規制片８５，８６は、上記基台部５７に対する上記ディスク種別検出アーム７８の上記支軸７１の軸方向の移動を阻止している。
【００５３】
上記基台部５７上には、図２，図３及び図８に示すように、ストッパ部材となるストッパアーム７５が配設されている。このストッパアーム７５は、上記基台部５７の後方側部分に対し、中途部を支軸７７を介して回動可能に支持されている。このストッパアーム７５は、一端側の上面部にカートリッジ当接ピン７６を有している。このストッパアーム７５は、図２中矢印Ｓで示すように、図示しないコイルバネ等の付勢部材により、上記カートリッジ当接ピン７６を前方側に移動させる方向に回動付勢されて、初期位置に位置決めされている。このとき、このストッパアーム７５の他端側部分は、上記ディスク種別検出アーム７８の被係止突起８４の下方側、すなわち、この被係止突起８４と上記基台部５７との間に位置している。この状態においては、上記ディスク種別検出アーム７８は、上記被係止突起８４と上記ストッパアーム７５とが当接することにより、上記基台部５７側に回動することが阻止されている。すなわち、このとき、上記磁気ヘッド支持アーム４４は、上記ディスク種別検出アーム７８を介して、初期位置よりも上記磁気ヘッド４４を上記基台部５７に接近させる方向の回動が阻止されている。
【００５４】
そして、上記カートリッジ当接ピン７６は、図３に示すように、上記基台部５７上に上記ディスクカートリッジ２０１，２１１が装着されると、このディスクカートリッジ２０１，２１１の前端部に当接されて後方側に移動され、図３中矢印Ｔで示すように、上記ストッパアーム７５を回動させる。このとき、上記ストッパアームの他端側部分は、上記被係止突起８４の下方側よりも前方側に移動され、上記ディスク種別検出アーム７８に対する回動の規制を解除する。
【００５５】
上記磁気ヘッド支持アーム４４は、上記基台部５７上に上記記録再生兼用ディスクカートリッジ２０１が装着されると、上記ディスク種別検出アーム７８の当接突起７９を上記記録再生兼用標示部２０９の底部により押圧されて上記支軸７１回りに回動され、図７に示すように、上記磁気ヘッド４５を上記記録再生兼用ディスク２０５に摺接させる第１の位置となされる。また、この磁気ヘッド支持アーム４４は、上記基台部５７上に上記再生専用ディスクカートリッジ２１１が装着されると、上記当接突起７９を上記再生専用標示部２１０の底部により押圧されて上記支軸７１回りに回動され、図６に示すように、上記磁気ヘッド４５を上記初期位置に比して上記再生専用ディスク２１４側に移動させているが該磁気ヘッド４５を上記再生専用カートリッジ２１２より離間させた第２の位置となされる。
【００５６】
そして、上記シャーシ底板部２上には、図１に示すように、上記各ディスクカートリッジ２０１，２１１が前方側より挿入操作され該ディスクカートリッジ２０１，２１１を保持するカートリッジホルダ２６が配設されている。このカートリッジホルダ２６は、カートリッジ押さえ板２７に支持されている。このカートリッジ押さえ板２７は、上記ディスクカートリッジ２０１，２１１の主面部に略々等しい大きさ及び形状の平板状の主面部と、この主面部の両側部より垂下された側壁部とを有して、金属板等により形成されている。このカートリッジ押さえ板２７は、上記シャーシ底板部２上に配設され、各側壁部の後方側部分を該シャーシ底板部２に対し回動可能に支持されており、該シャーシ底板部２に対して接離可能となされている。このカートリッジ押さえ板２７には、上記各カートリッジ２０２，２１２を下方側に押圧支持するための複数の板バネ部２７ａが切り起こし形成されている。
【００５７】
上記カートリッジホルダ２６は、上記各カートリッジ２０２，２１２が前方側より挿入可能となるように、これら各カートリッジ２０２，２１２に略々対応した大きさの筺体状に、前方側と上面部及び下面部の一部とが開放されて形成されている。このカートリッジホルダ２６は、上記カートリッジ押さえ板２７の下面側にこのカートリッジ押さえ板２７に略々沿うようにして配設され、後方側の両側側部分を該カートリッジ押さえ板２７の中途部分に回動可能に支持されている。すなわち、このカートリッジホルダ２６は、上記カートリッジ押さえ板２７に対して接離可能となされているとともに、このカートリッジ押さえ板２７が上記シャーシ底板部２側に回動したときには、該カートリッジ押さえ板２７及び該シャーシ底板部２により挟持される。
【００５８】
このカートリッジホルダ２６に上記ディスクカートリッジ２０１，２１１が所定の方向となされて前方側より挿入されると、このカートリッジホルダ２６内に設けられたシャッタ開放片が上記シャッタ開放溝２０６内に進入する。そして、上記ディスクカートリッジ２０１，２１１がこのカートリッジホルダ２６の内方側に移動されて上記シャッタ開放片が上記シャッタ支持突片部２０８の前端部に当接したときには、このカートリッジホルダ２６に設けられたシャッタ閉蓋片が、上記シャッタ閉蓋操作孔２０７内に嵌入する。そして、さらに、上記ディスクカートリッジ２０１，２１１がこのカートリッジホルダ２６の内方側に挿入操作されると、上記シャッタ部材２０４，２１３は、上記シャッタ支持突片部２０８の前端部を上記シャッタ開放片に当接させた位置にて停止されているので、上記カートリッジ２０２，２１２に対してスライドされ、記上記各開口部２０３，２１５を開蓋する。
【００５９】
そして、上記シャーシ底板部２上には、ディスクトレイ３０が配設されている。このディスクトレイ３０は、上記ディスクカートリッジ２０１，２１１が載置される受け板３９とこの受け板３９を上下動可能に支持する枠部とを有して構成されている。上記受け板３９は、上記ディスクカートリッジ２０１，２１１の主面部に略々等しい形状及び大きさを有して、薄い金属板等により形成されている。この受け板３９には、複数の開口部が開設されている。これら開口部は、この受け板３９上に上記ディスクカートリッジ２０１，２１１が載置されたときに、このディスクカートリッジ２０１，２１１の光学ピックアップ装置用開口部２１５，チャッキング用開口部２１９，位置決め孔２２０，各標示部２０９，２１０等を、該受け板３９の下方側に臨ませるためのものである。
【００６０】
上記枠部は、合成樹脂等の材料により、上記受け板３９の前端側に位置する直線状部分と該受け板３９の両側側に位置する直線状部分とを有して、略々コ字形状を有して形成されている。すなわち、この枠部は、後方側が開放されている。この枠部は、前後方向の長さが、上記ディスクカートリッジ２０１，２１１の主面部の前後方向の長さの略々２倍となされている。この枠部の両側側部分の後端側部分同士は、連結板３１を介して、互いに連結されている。この連結板３１は、薄い金属板等の材料により形成され、上記枠部の上面部に取付けられている。
【００６１】
この枠部は、上記受け板３９を、上下方向に移動可能に支持している。上記受け板３９の上面部の両側側部分には、一対の支持ピン１４５，１４６が植設されている。これら支持ピン１４５，１４６は、上記枠部の両側側部分に設けられた一対の支持孔に、下方側より対応して嵌入されている。この受け板３９は、上記各支持ピン１４５，１４６を上記各支持孔に沿わせて、上下方向に移動可能となされている。この受け板３９は、前端縁を上記枠部の前方側の直線状部分の近傍となしている。この受け板３９は、上記枠部内に配設されたバネによって、上方側に弾性付勢されている。
【００６２】
なお、上記枠部には、上記受け板３９上に載置するディスクカートリッジ２０１，２１１の該載置及び取り出しを容易となすために、該ディスクカートリッジ２０１，２１１の両側部に対応する位置に、該ディスクカートリッジ２０１，２１１の両側部の一部を外方側に臨ませる一対の切り欠き部３２，３３が設けられている。
【００６３】
このディスクトレイ３０は、上記シャーシ底板部２上に配設され、上記受け板３９上に載置されたディスクカートリッジ２０１，２１１を記録再生部４１の上方位置となす位置と該ディスクカートリッジ２０１，２１１の着脱操作位置とに亘って移動可能となされている。すなわち、上記枠体３０の一側側部分には、ガイド部材３４が取付けられている。このガイド部材３４は、合成樹脂等の材料により、シャフト挿通孔３５を有して形成され、上記枠部に取付けられて、この枠部より一側側方向に突出されている。このガイド部材３４のシャフト挿通孔３５には、上記左側側板部３に取付けられたガイドシャフト２９が挿通されている。このガイドシャフト２９は、上記左側側板部３の前端側部分が外方側に屈曲されて形成されたシャフト支持部に前端側を支持され、該左側側板部３の後端側部分に設けられたシャフト支持部に後端側を支持されて、前後方向に延在されて、該左側側板部３に取付けられている。また、上記枠部の他側側部分には、ガイド突条１３９が前後方向に突設されている。このガイド突条１３９は、上記右側側板部４の上方側部分にスライド可能に支持されている。このディスクトレイ３０は、上記ガイドシャフト２９及び上記ガイド突条１３９に沿って、前後方向にスライド可能となされている。
【００６４】
このディスクトレイ３０は、図１中矢印Ｂ方向である後方側に移動されたときに上記受け板３９を上記記録再生部４１の上方位置となすローディング位置となされ、図１中矢印Ａ方向である前方側に移動されると、該受け板３９を上記シャーシ１の前方側に突出した位置となして、この受け板３９上への上記ディスクカートリッジ２０１，２１１の着脱操作を可能となすアンローディング位置となされる。
【００６５】
そして、上記ディスクトレイ３０は、上記左側側板部３に取付けられたローディングモータにより回動操作されるカムギヤ２８より、移動操作される。このカムギヤ２８は、外周側に上記外周ギヤ部が形成され、一方の主面部に第１のカム溝が形成されたギヤである。上記外周ギヤ部には略々９０°の角度範囲に亘りこの外周ギヤの全幅の略々半分の欠歯部が形成されている。
【００６６】
一方、上記枠部の底面部には、上記カムギヤ２８の外周ギヤ部にこの外周ギヤ部の全幅の略々半分の部分、すなわち、上記欠歯部が形成された部分に対応する部分に噛合するラックギヤが形成されている。すなわち、上記枠部は、上記カムギヤ２８が回転すると、このカムギヤ２８の略々２７０°の回転範囲内、すなわち、上記外周ギヤ部が上記ラックギヤに噛合している範囲内において、移動操作される。そして，この枠部は、上記カムギヤ２８の略々９０°の回転範囲内、すなわち、上記欠歯部が上記ラックギヤに対向している範囲内においては、移動操作されない。
【００６７】
そして、上記カムギヤ２８は、上記ディスクトレイ３０のみならず、上記カートリッジ押さえ板２７をも移動操作する。このカムギヤ２８による上記カートリッジ押さえ板２７の移動操作は、上記欠歯部が上記枠部のラックギヤに対向する略々９０°の角度範囲内における回転により行われる。
【００６８】
すなわち、上記カートリッジ押さえ板２７は、図示しない従動アームを介して、上記第１のカム溝に係合されている。すなわち、上記カートリッジ押さえ板２７は、上記カムギヤ２８が回動されると、上記シャーシ底板部２に対して回動操作される。
【００６９】
なお、上記シャーシ１は、上記記録及び再生装置の外筺体内に固定して配設される支持基板１８に対して、いわゆるフローティング支持されて取付けられている。すなわち、上記シャーシ１は、上記支持基板１８に対して、４本の引っ張りコイルバネ６，７，８，９及び４個のダンパ２２，２３，２４，２５を介して支持されている。これらダンパ２２，２３，２４，２５は、ゴム等の可撓性を有する材料からなる袋状の部材内に高粘度を有する液体材料を封入して構成されている。
【００７０】
上述のように構成された本発明に係る記録及び再生装置において、上記記録再生兼用ディスクカートリッジ２０１、または、上記再生専用ディスクカートリッジ２１１を装着するには、まず、上記ディスクトレイ３０を上記アンローディング位置となす。このとき、上記カートリッジ押さえ板２７は、上記シャーシ底板部２より離間された位置に保持され、上記カートリッジホルダ２６を該シャーシ底板部２より離間させている。この状態において、上記受け板３９上に上記ディスクカートリッジ２０１，２１１を載置する。
【００７１】
そして、上記ローディングモータによって上記カムギヤ２８が回転を開始すると、上記ディスクトレイ３０は、図１中矢印Ｂで示すように、後方側に移動される。そして、上記ディスクトレイがさらに後方側に移動されると、上記ディスクカートリッジ２０１，２１１が上記カートリッジホルダ２６に前方側より挿入操作される。すると、このディスクカートリッジ２０１，２１１においては、上記シャッタ部材２０４，２１３が、上記シャッタ開放片により、上記カートリッジ２０２，２１２に対して移動操作され、上記光学ピックアップ装置用開口部２１５、または、磁気ヘッド用開口部２０３及び上記光学ピックアップ装置用開口部２１５を開蓋される。また、このとき、上記シャッタ閉蓋片は、上記シャッタ閉蓋操作孔２０７内に嵌入する。このときまで、上記磁気ヘッド支持アーム４４は、図４及び図５に示すように、上記磁気ヘッド装置４５を上昇位置に保持する初期位置となされている。
【００７２】
上記ディスクトレイ３０が上記ローディング位置に至ると、このディスクトレイのラックギヤには上記欠歯部が対向し、上記カムギヤ２８がさらに回転しても、このディスクトレイ３０は、停止した状態に維持される。このとき、上記ディスクカートリッジ２０１，２１１は、図５に示すように、上記記録再生部４１の上方側位置まで搬送されている。このとき、図５中矢印Ｕで示す上記ディスクカートリッジ２０１，２１１の底面部と上記ディスクテーブル４３との間の間隔は、例えば、４ｍｍ程度の充分な距離となされている。
【００７３】
そして、上記カムギヤ２８がさらに回転すると、上記第１のカム溝により、上記カートリッジ押さえ板２７が上記シャーシ底板部２に近接する側に回動される。すると、上記ディスクカートリッジ２０１，２１１は、図６及び図７に示すように、上記記録再生部４１の上記基台部５７上に載置装着されて、ローディング操作を完了される。これらディスクカートリッジ２０１，２１１は、上記カートリッジ押さえ板２７の各板バネ部２７ａにより、上記基台部５７側に弾性的に押圧支持されている。なお、上記受け板３９は、上記ディスクカートリッジ２０１，２１１に押圧されて、上記枠部に対して下方側に移動される。上記カートリッジ２０２，２１２は、上記各位置決めピン５９，６０及び上記各位置決め突起６１，６２により、上記基台部５７上の所定位置に位置決めされる。
【００７４】
そして、上記磁気ヘッド支持アーム４４は、上記記録再生兼用ディスクカートリッジ２０１が装着された場合にあっては、図７に示すように、上記第２の位置となされ、上記再生専用ディスクカートリッジ２１１が装着された場合にあっては、図６に示すように、上記第１の位置となされる。また、上記各ディスク２０５，２１４は、上記ディスクテーブル４３上に位置決めされて載置装着される。このとき、上記スピンドルモータは、上記ディスクテーブル４３とともに、上記各ディスク２０５，２１４を回転操作することが可能となされている。
【００７５】
この状態において、上記光学ピックアップ装置４２は、上記記録再生兼用ディスク２０５、または、再生専用ディスク２１４の他方側に主面部に対して、上記対物レンズ６８を対向させている。また、この光学ピックアップ装置４２は、上記各ディスク２０５，２１４に上記対物レンズ６８を対向させたまま、該各ディスク２０５，２１４の内外周に亘って移動可能となされている。この光学ピックアップ装置４２は、上記他方側の主面部側より、上記各ディスク２０５，２１４に対して光束を照射することが可能となされている。上記光学ピックアップ装置４２が上記各ディスク２０５，２１４の内外周に亘って径方向に移動されると、上記ディスク種別検出アーム７８は、上記各移動規制片８５，８６により上記支軸７１の軸方向の移動を阻止されているため、一定の位置に留まる。このとき、上記支軸７１及び上記回動規制シャフト７２は、上記磁気ヘッド支持アーム４４とともに移動されて、上記ディスク種別検出アーム７８に対しては、軸方向に摺動する。
【００７６】
ここで、上記スピンドルモータ、上記光学ピックアップ装置４２及び上記磁気ヘッド装置４５が作動されることにより、上記記録再生兼用ディスク２０５に対する情報信号の書込みが可能となされている。すなわち、上記記録再生兼用ディスク２０５が回転操作され、この記録再生兼用ディスク２０５の信号記録層に上記光学ピックアップ装置４２によって光束が集光して照射されて該照射領域が加熱され、この加熱された部分に上記磁気ヘッド装置４５が外部磁界を印加することにより、情報信号の書込みが行われる。また、この状態において、上記再生専用ディスク２１４よりの情報信号の読出しが可能となされている。すなわち、上記再生専用ディスク２１４が回転操作され、上記反射層に上記光学ピックアップ装置４２によって光束が集光して照射され、該光束の反射光束を検出することによって、情報信号の読出しが行われる。
【００７７】
そして、上述のように上記記録再生部に装着された各ディスクカートリッジ２０１，２１１をこの記録及び再生装置より取り出すには、上記カムギヤ２８を上述したローディング操作時の逆方向に回転させ、上記ディスクトレイを前方側に移送する方向に回転させる。すると、上記カートリッジ押さえ板２７は、上記シャーシ底板部２より離間する方向に回動され、上記カートリッジホルダ２６を上記シャーシ底板部２の上方側に移動させる。このとき、上記ディスクカートリッジ２０１，２１１は、上記記録再生部４１の基台部５７より離間され、上記受け板３９上に載置されている。また、上記磁気ヘッド支持アーム４４は、上記捩じりコイルバネ７４の付勢力により，図５に示すように、初期位置に復帰する。
【００７８】
そして、上記カムギヤ２８が、さらに回転されることにより、上記ディスクトレイ３０が前方側に移動操作される。このとき、上記ディスクカートリッジ２０１，２１１は、上記受け板３９上に載置されたまま、前方側に搬送される。このとき、上記ディスクカートリッジ２０１，２１１においては、上記シャッタ閉蓋片によって、上記シャッタ部材２０４，２１３の閉蓋操作がなされる。さらに、上記カムギヤ２８が回転され、上記ディスクトレイ３０が上記アンローディング位置に至ると、上記ディスクカートリッジ２０１，２１１は、該ディスクトレイ３０より取り外すことが可能となされている。
【００７９】
なお、本発明に係る記録及び再生装置において、上記ディスク種別検出アーム７８の上記磁気ヘッド支持アーム４４に対する回動を規制する回動規制部材は、上述の実施の形態中に示した如き回動規制シャフト７２に限定されない。すなわち、この回動規制部材としては、図１０に示すように、上記磁気ヘッド支持アーム４４より上記ディスク種別検出アーム７８を挟持するようにして突設された一対の回動規制片９１，９２としてもよい。この場合においても、図１０中矢印Ｘ及び矢印Ｙで示すように、上記ディスク種別検出アーム７８が上記支軸７１回りに回動されたときには、このディスク種別検出アーム７８と上記磁気ヘッド支持アーム４４との間の相対的な回動が阻止されているため、上記磁気ヘッド支持アーム４４は、上記ディスク種別検出アーム７８に追従して回動操作される。
【００８０】
【発明の効果】
上述のように、本発明に係る記録及び再生装置においては、上記記録再生部と、上記磁気ヘッド支持部材と、上記支軸の一端側に配設された位置決め部材と、上記支軸の他端側近傍に配設された弾性部材とを備えて構成されていることにより、上記磁気ヘッド支持部材は、上記弾性部材の弾性力により上記位置決め部材に押接されることによって、上記支軸の軸方向の位置を位置決めされる。そのため、この記録及び再生装置においては、上記磁気ヘッドの正確な位置決めを容易に行うことができる。
【００８１】
また、本発明は弾性部材の弾性力により磁気ヘッドが上記記録再生部より離間する方向に付勢され、上記ディスク種別検出アームは、記録再生部に記録再生兼用ディスクカートリッジが装着されたとき、このディスクカートリッジに設けられたディスク種別標示部によって先端側を押圧され、上記支軸の軸回りに回動操作されて、磁気ヘッド支持部材を、磁気ヘッドが上記記録再生部に対して近接する方向に回動操作し、磁気ヘッドが上記記録再生兼用ディスクカートリッジ内の記録ディスクに摺接される。すなわち、磁気ヘッドの記録ディスクに対する摺接は、記録可能なディスクが装着されたときのみに行われるようになされて、磁気ヘッド及びディスクの磨耗が最小限度に抑えることができる。
【図面の簡単な説明】
【図１】本発明に係る記録及び再生装置の構成を示す分解斜視図である。
【図２】上記記録及び再生装置の記録再生部の構成を示す平面図である。
【図３】上記記録再生部にディスクカートリッジが装着された状態を示す平面図である。
【図４】上記記録再生部及びこの記録再生部に装着されるディスクカートリッジの構成を示す側面図である。
【図５】上記記録再生部に上記ディスクカートリッジが装着される途中の状態を示す側面図である。
【図６】上記記録再生部に再生専用のディスクカートリッジが装着された状態を示す側面図である。
【図７】上記記録再生部に記録再生兼用のディスクカートリッジが装着された状態を示す側面図である。
【図８】上記記録再生部の磁気ヘッド支持アームの要部の構成を一部を破断して示す拡大斜視図である。
【図９】上記磁気ヘッド支持アームの要部の構成を一部を破断して示す拡大平面図である。
【図１０】上記磁気ヘッド支持アームの要部の構成の他の例を示す拡大側面図である。
【図１１】上記記録再生兼用のディスクカートリッジの構成を示す斜視図である。
【図１２】上記記録再生兼用のディスクカートリッジを底面側より臨んだ斜視図である。
【図１３】再生専用のディスクカートリッジの構成を示す斜視図である。
【図１４】上記再生専用のディスクカートリッジを底面側より臨んだ斜視図である。
【符号の説明】
４１  記録再生部、４４  磁気ヘッド支持アーム、５７  基台部、７１  支軸、７２  回動規制シャフト、７４  捩じりコイルバネ、７５  ストッパアーム、７８  ディスク種別検出アーム、７９  当接突起、８０，８１  立ち上げ屈曲片部、８５，８６  移動規制片、２０１  記録再生兼用ディスクカートリッジ、２０５  記録再生兼用ディスク、２０９  記録再生兼用標示部、２１０  再生専用標示部、２１１  再生専用ディスクカートリッジ、２１４  再生専用ディスク
【図１】
0003864849.tif 000002
【図２】
0003864849.tif 000003
【図３】
0003864849.tif 000004
【図４】
0003864849.tif 000005
【図５】
0003864849.tif 000006
【図６】
0003864849.tif 000007
【図７】
0003864849.tif 000008
【図８】
0003864849.tif 000009
【図９】
0003864849.tif 000010
【図１０】
0003864849.tif 000011
【図１１】
0003864849.tif 000012
【図１２】
0003864849.tif 000013
【図１３】
0003864849.tif 000014
【図１４】
0003864849.tif 000015